(57)【要約】【課題】単コイル構造において容易に隔極接続することが可能なステータを提供する。【解決手段】このステータ１０は、ステータコア１１の回転軸方向端面１１ａから突出するコイルエンド部３２と、配策線部３３とを含むコイル３０と、コイルエンド部３２の回転軸方向の外側において配策線部３３を外部の動力源へ配線するための配策線部配線領域５３よりも回転軸方向の外側に設けられ、互いに異なる同相のコイル３０同士を少なくとも１つ置きに接続する隔極接続をするための隔極巻き用配線部材５１と、を備える。【選択図】図２
2018088770.tif 000002
【特許請求の範囲】
【請求項１】
ステータコアの回転軸方向端面から突出するコイルエンド部と、配策線部とを含むコイルと、
前記コイルエンド部の回転軸方向の外側において前記配策線部を外部の動力源へ配線するための配策線部配線領域よりも回転軸方向の外側に設けられ、互いに異なる同相の前記コイル同士を少なくとも１つ置きに接続する隔極接続をするための隔極巻き用配線部材と、を備える、ステータ。
【請求項２】
前記隔極巻き用配線部材は、前記配策線部と接続する複数の接続端子と、前記接続端子に接続され、隔極接続される前記コイルに対応する前記接続端子同士を接続する接続用配線部とを含む、請求項１に記載のステータ。
【請求項３】
前記隔極巻き用配線部材は、円環形状を有し、
前記複数の接続端子は、前記円環形状の隔極巻き用配線部材の外周側および内周側に配置されており、
前記隔極巻き用配線部材の外周側に配置されている前記接続端子は、前記ステータコアの外径側に突出し、前記隔極巻き用配線部材の内周側に配置されている前記接続端子は、前記ステータコアの内径側に突出するように構成されている、請求項２に記載のステータ。
【請求項４】
前記円環形状の隔極巻き用配線部材の外周側に配置されている前記接続端子は、前記隔極巻き用配線部材の内周側に配置されている前記接続端子と接続されている、請求項３に記載のステータ。
【請求項５】
回転軸方向から見て、前記接続端子と、前記配策線部を中性点に接続する中性点端子とは重ならないように構成されている、請求項２〜４のいずれか１項に記載のステータ。
【請求項６】
前記隔極巻き用配線部材は、一対の板状の絶縁部材を含み、
前記接続用配線部は、回転軸方向において、前記一対の板状の絶縁部材により挟まれている、請求項２〜５のいずれか１項に記載のステータ。
【請求項７】
前記一対の板状の絶縁部材のうちの前記コイルエンド部側の前記絶縁部材は、前記コイルエンド部側に固定される固定部を構成している、請求項６に記載のステータ。
【請求項８】
前記隔極巻き用配線部材は、前記接続用配線部と、前記接続用配線部の端部に設けられた接続端子部とを一体的に含み、前記接続用配線部は絶縁膜により被覆されている、請求項２〜７のいずれか１項に記載のステータ。
【発明の詳細な説明】
【技術分野】
【０００１】
本発明は、ステータに関する。
【背景技術】
【０００２】
従来、配策線部を含むコイルを備えるステータが知られている（たとえば、特許文献１参照）。
【０００３】
上記特許文献１に記載のステータでは、３相の各相ごとに、ステータ巻線（コイル）は、並列に接続される２つの直列コイルを有する。各直列コイルは、４つのコイルが直列に連続して接続されている連続コイル構造である。また、各直列コイルでは、４つのコイルがステータコアの周方向において分離されており（周方向に離れたスロットに配置されており）、分離された一方と他方とがコア体（ステータコア）の径方向に対向するように配置されている。具体的には、４つのコイルは、２つの隣接するコイルで構成されるコイル群を２つ含み、一方のコイル群と他方のコイル群とは、周方向に１８０度ずれて形成されている。
【０００４】
ここで、上記特許文献１のような従来のステータにおいて、複数の同相のコイルが連続的に接続されずに、各々のコイルが単独で配置される単コイル構造において、コイル同士を隔極接続（互いに異なる同相のコイル同士を少なくとも１つのコイル置きに接続）する構成が考えられる。
【先行技術文献】
【特許文献】
【０００５】
【特許文献１】特開２００８−１０９７９６号公報
【発明の概要】
【発明が解決しようとする課題】
【０００６】
この場合、コイル同士が連続的に接続されている構造（連続コイル構造）に比べて、コイルエンド部上に配線される配策線部の本数が多くなる。すなわち、連続コイル構造においては、連続して接続されているコイルのうちの両端のコイルからの引出し線部のみを、外部の動力源等に接続させるためにコイルエンド部上において配線しているのに対し、単コイル構造においては、各々のコイルからの引出し線部を配線する必要がある。たとえば、１つのコイルにつき２本の引出し線部がコイルエンド部上に配線されるとした場合、連続コイル構造においては、両端のコイルからの４本（３相分で計１２本）の配策線部を配線する必要がある。これに対し、単コイル構造においては、各コイルから引出し線部が配線されるので、計８本（３相分で計２４本）の配策線部を配線する必要がある。したがって、単コイル構造においては、連続コイル構造に比べて、配策線部を外部の動力源等に接続させるための配策線部配線領域が大きくなる。
【０００７】
また、隔極接続は配線長が長くなる。これに加えて、単コイル構造においては、複数のコイル群同士がまとめて隔極接続されるのではなく、各々のコイル同士が別個に隔極接続されるので、隔極配線される渡線部の領域が連続コイル構造に比べて大きくなる。このため、単コイル構造においては、配策線部を外部の動力源等に接続させるための配策線部配線領域と同様に、隔極接続させるための配線領域も連続コイル構造に比べて大きくなる。
【０００８】
したがって、単コイル構造においては、配策線部を外部の動力源等に接続させるための配策線部配線領域、および、隔極接続させるための配線領域の両方が大きくなるので、これらの配線領域を同一平面上に配置することが困難になるという不都合がある。このため、コイルを隔極接続させることが困難になるという問題点がある。
【０００９】
この発明は、上記のような課題を解決するためになされたものであり、この発明の１つの目的は、単コイル構造において、コイルを容易に隔極接続することが可能なステータを提供することである。
【課題を解決するための手段】
【００１０】
この発明の一の局面によるステータは、ステータコアの回転軸方向端面から突出するコイルエンド部と、配策線部とを含むコイルと、コイルエンド部の回転軸方向の外側において配策線部を外部の動力源へ配線するための配策線部配線領域よりも回転軸方向の外側に設けられ、互いに異なる同相のコイル同士を少なくとも１つ置きに接続する隔極接続をするための隔極巻き用配線部材と、を備える。
【００１１】
この発明の一の局面によるステータでは、上記のように、隔極巻き用配線部材が配策線部配線領域よりも回転軸方向の外側に設けられていることによって、隔極巻きによる配線領域を、配策線部配線領域と互いに異なる平面上に設けることができる。その結果、隔極巻きによる配線領域と配策線部配線領域とが同一平面上に重ならないので、単コイル構造において、コイル同士を容易に隔極接続することができる。なお、単コイル構造とは、同相のコイルが連続的に接続されておらず、各々が独立して配置されている構造を意味する。
【発明の効果】
【００１２】
本発明によれば、上記のように、単コイル構造において容易に隔極接続することが可能なステータを提供することができる。
【図面の簡単な説明】
【００１３】
【図１】本発明の一実施形態による回転電機の平面図である。
【図２】本発明の一実施形態によるステータの断面図である。
【図３】本発明の一実施形態によるコイルの正面図である。
【図４】本発明の一実施形態による配線部材の拡大分解断面図である。
【図５】本発明の一実施形態による配線部材の拡大断面図である。
【図６】本発明の一実施形態による隔極巻き用配線部材の平面図である。
【図７】本発明の一実施形態による隔極巻き用配線部材の拡大平面図である。
【図８】本発明の一実施形態による隔極巻きの構造を説明するための図である。
【図９】本発明の一実施形態による配策線部配線部材の平面図である。
【図１０】本発明の一実施形態による配策線部配線部材の蓋部材装着時の平面図である。
【図１１】本発明の一実施形態による配線部材の拡大平面図である。
【図１２】本発明の一実施形態の変形例による配線部材の拡大断面図である。
【発明を実施するための形態】
【００１４】
以下、本発明の実施形態を図面に基づいて説明する。
【００１５】
［本実施形態］
（ステータの構造）
図１〜図１１を参照して、本実施形態によるステータ１０の構造について説明する。なお、本願明細書では、「回転軸方向」は、ステータ１０の回転軸方向（Ｚ方向）を意味する。また、「径方向」は、ステータ１０の径方向（半径方向）を意味する。また、「内径側」は、ステータ１０の内径側（半径方向内側）を意味し、「外径側」は、ステータ１０の外径側（半径方向外側）を意味する。
【００１６】
図１および図２に示すように、回転電機１００は、ロータ２０（ロータコア２１）を備えている。また、回転電機１００は、ロータコア２１の外周面と半径方向に対向するように配置されるステータ１０（ステータコア１１）を備えている。ステータコア１１には、複数のスロット１２が設けられている。また、スロット１２を挟むように、複数のティース１３が設けられている。また、スロット１２は、径方向内側に開口している。なお、図１では、後述する配線部材５０は、簡略化のため、図示を省略している。
【００１７】
また、ステータ１０は、ステータコア１１に配置される複数のコイル３０を備えている。また、図３に示すように、コイル３０は、丸線３０ａが複数巻回されることにより形成されている。コイル３０は、ステータコア１１のスロット１２に収容される一対のスロット収容部３１と、一対のスロット収容部３１を接続するコイルエンド部３２とを含む。
【００１８】
また、コイル３０は、回転軸方向から見て、一対のスロット収容部３１のうちのスロット収容部３１ａがスロット１２の径方向外側に配置されている。また、一対のスロット収容部３１のうちのスロット収容部３１ｂがスロット１２の径方向内側に配置されている。また、スロット収容部３１ｂが、スロット収容部３１ａが配置されるスロット１２から周方向に所定の数のスロット１２の分、離れたスロット１２（図１参照）に配置されている。すなわち、コイル３０は、２層重ね巻きコイルである。
【００１９】
また、コイル３０には、一対のスロット収容部３１と、コイルエンド部３２とを覆うように、シート状の絶縁部材４０が取り付けられている。絶縁部材４０は、たとえば、ＰＥＮ（ｐｏｌｙｅｔｈｙｌｅｎｅ  ｎａｐｈｔｈａｌａｔｅ）フィルムからなる芯材と、芯材の両面を覆うように設けられるアラミド繊維からなる表面部材とからなる。
【００２０】
また、コイル３０は、ステータコア１１の外部に引き出される配策線部３３とを含む。配策線部３３は、コイル３０を構成する導体線の一端部および他端部である。また、配策線部３３は、電源などの外部回路側との接続のための動力線、他の相のコイル３０との接続をする渡り線および中性点への接続のための中性線などとして機能する。
【００２１】
図２に示すように、コイルエンド部３２は、ステータコア１１の回転軸方向端面１１ａからＺ１方向側に突出している。また、コイルエンド部３２（ハッチングで表されたコイルエンド部３２）は、回転軸方向の外側の端部３２ａが、略平坦になるように成形されている。
【００２２】
ステータ１０は、コイル３０のコイルエンド部３２の回転軸方向の外側（Ｚ１方向側）に設けられる配線部材５０を備える。
【００２３】
（配線部材の構成）
図４および図５に示すように、配線部材５０は、隔極巻き用配線部材５１を含む。また、配線部材５０は、コイルエンド部３２上に配置される、配策線部配線部材５２を含む。隔極巻き用配線部材５１は、配策線部配線部材５２よりも回転軸方向の外側（Ｚ１方向側）に設けられている。なお、配策線部配線部材５２とコイルエンド部３２との間には、スペーサ（図示せず）により、配策線部３３を配置可能な大きさの隙間Ｃが設けられる。
【００２４】
（隔極巻き用配線部材の構成）
ここで、本実施形態では、隔極巻き用配線部材５１は、接続用配線部５１ａを含む。接続用配線部５１ａは、絶縁膜（図示せず）に被覆されている。具体的には、接続用配線部５１ａには、Ｕ相用配線、Ｖ相用配線、および、Ｗ相用配線が設けられており、各配線は絶縁膜により被覆されている。なお、Ｕ相用配線、Ｖ相用配線、および、Ｗ相用配線は、銅により成形されている。
【００２５】
また、隔極巻き用配線部材５１は、接続用配線部５１ａの端部に設けられた（接続された）接続端子部５１ｂを含む。すなわち、接続端子部５１ｂは、接続用配線部５１ａと一体的に設けられている。接続端子部５１ｂは、配策線部３３と接続する複数の接続端子５１ｃを含む。図５に示すように、各接続端子５１ｃは、先端部が折り曲げられている（図７参照）ことによって、コイルエンド部３２から引き上げられた配策線部３３と係合可能に構成されている。なお、図７では、配策線部配線部材５２、および、後述する隔極巻き用配線部材５１の絶縁板５１ｄは、簡略化のため、図示を省略している。
【００２６】
また、本実施形態では、隔極巻き用配線部材５１は、一対の板状の絶縁板５１ｄを含む。接続用配線部５１ａは、回転軸方向において、一対の板状の絶縁板５１ｄにより挟まれている。なお、回転軸方向から見て、絶縁板５１ｄは、接続端子部５１ｂとは重ならないように配置されている。なお、絶縁板５１ｄは、特許請求の範囲の「絶縁部材」の一例である。
【００２７】
図６に示すように、隔極巻き用配線部材５１は、円環形状を有する。また。複数の接続端子５１ｃは、円環形状の隔極巻き用配線部材５１の外周側および内周側に配置されている。なお、外周側に配置されている接続端子５１ｃは、外周側において等角度間隔に配置されている。また、内周側に配置されている接続端子５１ｃは、内周側において等角度間隔に配置されている。また、ステータコア１１の中心Ｏと、外周側に配置されている接続端子５１ｃとを結ぶ線分（図示せず）上には、内周側の接続端子５１ｃが配置されないように構成されている。なお、図６では、配策線部配線部材５２、および、隔極巻き用配線部材５１の絶縁板５１ｄは、簡略化のため、図示を省略している。
【００２８】
また、本実施形態では、隔極巻き用配線部材５１の外周側に配置されている接続端子５１ｃは、ステータコア１１の外径側に突出している。また、隔極巻き用配線部材５１の内周側に配置されている接続端子５１ｃは、ステータコア１１の内径側に突出している。具体的には、接続端子５１ｃは、コイルエンド部３２の端部３２ａと略平行になる（図４および図５参照）ように突出している。
【００２９】
また、本実施形態では、図８に示すように、隔極巻き用配線部材５１により、互いに異なる同相のコイル３０同士が隔極接続されている。具体的には、隔極巻き用配線部材５１により、ステータコア１１の中心Ｏに対して、対向して配置されているコイル３０同士が接続（隔極接続）されている。なお、隔極接続とは、互いに異なる同相のコイル３０同士を少なくとも１つ置きに接続することを意味している。以下、図８に基づいて、詳細に説明する。図８では、互いに同相の４個のスロット収容部３１（２つのスロット収容部３１ａおよび２つのスロット収容部３１ｂ）に対して、説明を容易にするため、それぞれ番号（１番〜４番）を付して説明する。なお、上記４個のスロット収容部３１以外のスロット収容部３１は、簡略化のため、図示を省略している。
【００３０】
１番のスロット収容部３１ａと２番のスロット収容部３１ｂとは、コイルエンド部３２によって接続されている。同様に、３番のスロット収容部３１ａと４番のスロット収容部３１ｂとは、コイルエンド部３２によって接続されている。一方で、２番のスロット収容部３１ｂと３番のスロット収容部３１ａとは、隔極巻き用配線部材５１の接続用配線部５１ａによって接続されている。すなわち、２番のスロット収容部３１ｂ側、および、３番のスロット収容部３１ａ側からの配策線部３３は、隔極巻き用配線部材５１の接続端子５１ｃに接続される。なお、２番のスロット収容部３１ｂと３番のスロット収容部３１ａとの間には、図示を省略するが、１番〜４番のスロット収容部３１と同相の２つのスロット収容部（１つのスロット収容部３１ａおよび１つのスロット収容部３１ｂ）が配置されている。なお、１番のスロット収容部３１ａ側からの配策線部３３は、配策線部配線部材５２を通って、外部の動力源に接続される。また、４番のスロット収容部３１ｂ側からの配策線部３３は、後述するバスバー（図示せず）固定用の中性点端子５２ａに接続されることにより、中性点に接続される。
【００３１】
１番のスロット収容部３１ａと２番のスロット収容部３１ｂの間のコイルエンド部３２（コイル３０）の略中央と、３番のスロット収容部３１ａと４番のスロット収容部３１ｂの間のコイルエンド部３２（コイル３０）の略中央とは、ステータコア１１の中心Ｏに対して約１８０度の間隔を隔てて対向している。
【００３２】
また、本実施形態では、図６に示すように、接続用配線部５１ａにより、隔極接続されるコイル３０に対応する接続端子５１ｃ同士が接続される。具体的には、接続用配線部５１ａにより、隔極接続されるコイル３０に対応する、隔極巻き用配線部材５１の外周側に配置されている接続端子５１ｃと内周側に配置されている接続端子５１ｃとが接続される。
【００３３】
たとえば、２番のスロット収容部３１ｂ（図８参照）に対応する接続端子５１ｃである１番の接続端子５１ｃと、３番のスロット収容部３１ａ（図８参照）に対応する接続端子５１ｃである２番の接続端子５１ｃとが、接続用配線部５１ａにより接続されている。なお、図６では、複数個設けられている接続端子５１ｃに対して、説明を容易にするため、接続端子５１ｃに、１番および２番という番号を付して説明している。
【００３４】
（配策線部配線部材の構成）
図４および図５に示すように、配策線部配線部材５２は、複数の相（本実施形態では、３相）の配策線部３３の各々が配置される複数（本実施形態では、３つ）の配策線部配線領域５３を含む。すなわち、配策線部配線部材５２は、Ｕ相用の配策線部３３を配置する配策線部配線領域５３ａと、Ｖ相用の配策線部３３を配置する配策線部配線領域５３ｂと、Ｗ相用の配策線部３３を配置する配策線部配線領域５３ｃとを含む。なお、配策線部配線領域５３ａ、配策線部配線領域５３ｂ、および、配策線部配線領域５３ｃに配置される配策線部３３の各々は、対応する動力源へ配線される。
【００３５】
図９に示すように、配策線部配線部材５２の内径側には、バスバー（図示せず）固定用の中性点端子５２ａが周状に配置されている。コイルエンド部３２から引き上げられる配策線部３３（中性線）は、中性点端子５２ａに接続されることにより中性点に接続される。また、図９では、後述する庇部５２ｄは、簡略化のため、図示を省略している。
【００３６】
図４および図５に示すように、配策線部配線部材５２は、配策線部配線領域５３ｃの外径側（図４および図５では左側）に設けられている壁部５２ｂを含む。また、配策線部配線部材５２は、配策線部配線領域５３ａの内径側（図４および図５では右側）に設けられている壁部５２ｃを含む。
【００３７】
また、配策線部配線領域５３ａに対応する部分、配策線部配線領域５３ｂに対応する部分、および、配策線部配線領域５３ｃに対応する部分の各々には、庇部５２ｄが設けられている。庇部５２ｄにより、配策線部３３が配策線部配線領域５３（配策線部配線領域５３ａ、配策線部配線領域５３ｂ、および、配策線部配線領域５３ｃ）から回転軸方向にはみ出るのを抑制することが可能に構成されている。
【００３８】
また、図９に示すように、配策線部配線部材５２には、配策線部３３を配策線部配線領域５３側（配策線部配線部材５２に対してＺ１方向側）に引き出すための配策線部引出部５４が設けられている。また、配策線部引出部５４は、切欠状の配策線部係合部５５が設けられている。配策線部３３は、配策線部引出部５４を通って配策線部配線領域５３側に引き出された後、配策線部配線領域５３ａ、配策線部配線領域５３ｂ、または、配策線部配線領域５３ｃのうちのいずれか１つに対応する配策線部係合部５５に係合される。なお、図９では、簡略化のため、配策線部配線領域５３ｃにのみ配策線部３３が配置されている状態を図示している。
【００３９】
また、図１０に示すように、配策線部３３が配策線部係合部５５に係合された後、配策線部引出部５４には、配策線部配線部材５２とは別部材の蓋部材５６が装着される。これにより、配策線部３３は、配策線部係合部５５と蓋部材５６により、移動が規制される。なお、図１０では、簡略化のため、配策線部配線領域５３ｃにのみ配策線部３３が配置されている状態を図示している。
【００４０】
ここで、本実施形態では、図１１に示すように、回転軸方向から見て、接続端子５１ｃと、配策線部３３を中性点に接続する中性点端子５２ａとは重ならないように構成されている。具体的には、回転軸方向から見て、隔極巻き用配線部材５１の内周側に配置されている２つの接続端子５１ｃの間に、２つの中性点端子５２ａが配置されている。
【００４１】
また、本実施形態では、図５に示すように、一対の板状の絶縁板５１ｄのうちのコイルエンド部３２側（Ｚ２方向側）の絶縁板５１ｄは、コイルエンド部３２側に固定される固定部を構成している。具体的には、Ｚ２方向側の絶縁板５１ｄは、配策線部配線部材５２の壁部５２ｂと壁部５２ｃとの間に嵌合するように構成されている。また、Ｚ２方向側の絶縁板５１ｄは、配策線部配線部材５２の庇部５２ｄと密着するように配置される。すなわち、Ｚ２方向側の絶縁板５１ｄは、壁部５２ｂ、壁部５２ｃ、および、庇部５２ｄによって移動が規制されている。
【００４２】
（配線部材の組立て方法）
まず、コイルエンド部３２上に、配策線部配線部材５２を配置する。そして、配策線部３３を、配策線部配線部材５２の配策線部引出部５４および配策線部係合部５５により、配策線部配線領域５３に配置する。
【００４３】
次に、隔極巻き用配線部材５１を、配策線部配線部材５２に組み付ける。この時、隔極巻き用配線部材５１の絶縁板５１ｄを、配策線部配線部材５２の壁部５２ｂと壁部５２ｃとの間に嵌合させる。これにより、隔極巻き用配線部材５１の接続用配線部５１ａおよび接続端子部５１ｂと、配策線部配線部材５２に配置された配策線部３３とが絶縁されている。
【００４４】
そして、コイルエンド部３２からの配策線部３３を、隔極巻き用配線部材５１の接続端子部５１ｂに接続させる。これにより、コイル３０同士が隔極接続される。すなわち、配策線部配線部材５２による配策線部３３の配線と、隔極巻き用配線部材５１による配策線部３３の配線とを互いに別工程で行うことによって、隔極接続を容易に行うことが可能である。
【００４５】
（本実施形態の効果）
上記実施形態では、以下のような効果を得ることができる。
【００４６】
上記実施形態のステータ（１０）では、ステータコア（１１）の回転軸方向端面（１１ａ）から突出するコイルエンド部（３２）と、配策線部（３３）とを含むコイル（３０）と、コイルエンド部（３２）の回転軸方向の外側において配策線部（３３）を外部の動力源へ配線するための配策線部配線領域（５３、５３ａ、５３ｂ、５３ｃ）よりも回転軸方向の外側に設けられ、互いに異なる同相のコイル（３０）同士を少なくとも１つ置きに接続する隔極接続をするための隔極巻き用配線部材（５１）と、を備える。このように構成すれば、隔極巻き用配線部材（５１）が配策線部配線領域（５３、５３ａ、５３ｂ、５３ｃ）よりも回転軸方向の外側に設けられていることによって、隔極巻きによる配線領域を、配策線部配線領域（５３、５３ａ、５３ｂ、５３ｃ）と互いに異なる平面上に設けることができる。その結果、隔極巻きによる配線領域と配策線部配線領域（５３、５３ａ、５３ｂ、５３ｃ）とが同一平面上に重ならないので、容易に隔極接続することができる。
【００４７】
上記実施形態のステータ（１０）では、隔極巻き用配線部材（５１）は、配策線部（３３）と接続する複数の接続端子（５１ｃ）と、接続端子（５１ｃ）に接続され、隔極接続されるコイル（３０）に対応する接続端子（５１ｃ）同士を接続する接続用配線部（５１ａ）とを含む。このように構成すれば、配策線部（３３）を接続端子（５１ｃ）に接続させるだけで、隔極巻き用配線部材（５１）に設けられた接続用配線部（５１ａ）によって、コイル（３０）を隔極接続させることができる。その結果、コイル（３０）を容易に隔極接続させることができる。
【００４８】
上記実施形態のステータ（１０）では、隔極巻き用配線部材（５１）は、円環形状を有し、複数の接続端子（５１ｃ）は、円環形状の隔極巻き用配線部材（５１）の外周側および内周側に配置されており、隔極巻き用配線部材（５１）の外周側に配置されている接続端子（５１ｃ）は、ステータコア（１１）の外径側に突出し、隔極巻き用配線部材（５１）の内周側に配置されている接続端子（５１ｃ）は、ステータコア（１１）の内径側に突出するように構成されている。このように構成すれば、回転軸方向から見て、接続端子（５１ｃ）が隔極巻き用配線部材（５１）の円環形状の部分から突出しているので、配策線部（３３）を接続端子（５１ｃ）に容易に接続させることができる。
【００４９】
上記実施形態のステータ（１０）では、円環形状の隔極巻き用配線部材（５１）の外周側に配置されている接続端子（５１ｃ）は、隔極巻き用配線部材（５１）の内周側に配置されている接続端子（５１ｃ）と接続されている。このように構成すれば、外周側に配置されている接続端子（５１ｃ）同士、および、内周側に配置されている接続端子（５１ｃ）同士を接続させる場合に比べて、接続端子（５１ｃ）間の配線同士が交差するのを抑制することができる。その結果、隔極巻き用配線部材（５１）の構成を簡略化することができる。
【００５０】
上記実施形態のステータ（１０）では、回転軸方向から見て、接続端子（５１ｃ）と、配策線部（３３）を中性点に接続する中性点端子（５２ａ）とは重ならないように構成されている。このように構成すれば、接続端子（５１ｃ）に接続させるためにコイルエンド部（３２）から引き上げられた配策線部（３３）が、中性点端子（５２ａ）に接触するのを抑制することができる。
【００５１】
上記実施形態のステータ（１０）では、隔極巻き用配線部材（５１）は、一対の板状の絶縁板（５１ｄ）を含み、接続用配線部（５１ａ）は、回転軸方向において、一対の板状の絶縁板（５１ｄ）により挟まれている。このように構成すれば、接続用配線部（５１ａ）と、配策線部配線領域（５３、５３ａ、５３ｂ、５３ｃ）に配置された配策線部（３３）とを確実に絶縁させることができる。
【００５２】
上記実施形態のステータ（１０）では、一対の板状の絶縁板（５１ｄ）のうちのコイルエンド部（３２）側の絶縁板（５１ｄ）は、コイルエンド部（３２）側に固定される固定部を構成している。このように構成すれば、絶縁板（５１ｄ）に挟まれている隔極巻き用配線部材（５１）を、コイルエンド部（３２）側に容易に固定させることができる。また、絶縁板（５１ｄ）が固定具を兼ねているので、固定するための部材を別個に設ける必要がない。これにより、部品点数の増加を抑制することができる。
【００５３】
上記実施形態のステータ（１０）では、隔極巻き用配線部材（５１）は、接続用配線部（５１ａ）と、接続用配線部（５１ａ）の端部に設けられた接続端子部（５１ｂ）とを一体的に含み、接続用配線部（５１ａ）は絶縁膜により被覆されている。このように構成すれば、接続用配線部（５１ａ）は絶縁膜により被覆されていることによって、接続用配線部（５１ａ）に含まれる配線同士を確実に絶縁させることができる。
【００５４】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５５】
たとえば、上記実施形態では、配線部材５０が隔極巻き用配線部材５１と配策線部配線部材５２とを含む例を示したが、本発明はこれに限られない。たとえば、図１２に示すように、配線部材１５０が隔極巻き用配線部材５１のみを含んでいてもよい。
【００５６】
この場合、Ｕ相、Ｖ相、および、Ｗ相の配策線部３３の各々は、絶縁チューブ５７によって覆われている。各相の複数本の配策線部３３は、絶縁チューブ５７によって１つの束に纏められている。すなわち、各絶縁チューブ５７の内部が、配策線部配線領域１５３（配策線部配線領域１５３ａ、配策線部配線領域１５３ｂ、および、配策線部配線領域１５３ｃ）を構成している。そして、各相の絶縁チューブ５７は、コイルエンド部３２上に直接的に配置されるとともに外部の動力源まで配線（配策）されている。
【００５７】
また、コイルエンド部３２上には、１つの中性点端子１５２ａ（たとえば、圧着端子）が設けられている。各相の配策線部３３の一方端は中性点端子１５２ａに接続されている。また、隔極巻き用配線部材５１は、絶縁チューブ５７に接触しない高さ位置において、コイルエンド部３２に固定されている。なお、中性点端子１５２ａは、複数に分割されていてもよい。
【００５８】
また、上記実施形態では、接続用配線部５１ａが、一対の絶縁板５１ｄにより挟まれている例を示したが、本発明はこれに限られない。たとえば、接続用配線部５１ａを絶縁性の樹脂等で密封してもよい。
【００５９】
また、上記実施形態では、ステータコア１１の中心Ｏに対して、対向して配置されているコイル３０同士を接続する例を示したが、本発明はこれに限られない。すなわち、隔極接続であれば、対向していない配置関係のコイル３０同士を接続する構成であってもよい。
【００６０】
また、上記実施形態では、配策線部引出部５４に、配策線部配線部材５２とは別部材の蓋部材５６が装着される例を示したが、本発明はこれに限られない。たとえば、蓋部材５６が配策線部配線部材５２と一体的に設けられていてもよい。
【００６１】
また、上記実施形態では、配策線部配線部材５２には、配策線部引出部５４および配策線部係合部５５が設けられている構成の例を示したが、本発明はこれに限られない。たとえば、配策線部配線部材５２に孔形状の孔部が設けられており、上記孔部を介して、コイルエンド部３２から配策線部３３を引き出す構成であってもよい。
【符号の説明】
【００６２】
１０  ステータ
１１  ステータコア
１１ａ  端面
３０  コイル
３２  コイルエンド部
３３  配策線部
５１  隔極巻き用配線部材
５１ａ  接続用配線部
５１ｂ  接続端子部
５１ｃ  接続端子
５１ｄ  絶縁板（絶縁部材）
５２  配策線部配線部材
５２ａ、１５２ａ  中性点端子
５３、５３ａ、５３ｂ、５３ｃ、１５３、１５３ａ、１５３ｂ、１５３ｃ  配策線部配線領域
【図１】
2018088770.tif 000003
【図２】
2018088770.tif 000004
【図３】
2018088770.tif 000005
【図４】
2018088770.tif 000006
【図５】
2018088770.tif 000007
【図６】
2018088770.tif 000008
【図７】
2018088770.tif 000009
【図８】
2018088770.tif 000010
【図９】
2018088770.tif 000011
【図１０】
2018088770.tif 000012
【図１１】
2018088770.tif 000013
【図１２】
2018088770.tif 000014